(57)【要約】      （修正有）【課題】アンチブルーライト機能を併せ持ち、薄型軽量で、スクリーンの色の鮮やかさを維持した、ブルーライト遮断機能を有するスクリーンを提供する。【解決手段】ブルーライト遮断機能を有するスクリーン保護シート２であって、アンチブルーライト素子２０を表示スクリーン１０に結合し、アンチブルーライト微粒子がアンチブルーライト素子の内部に均一に分布していることを特徴とし、表示スクリーンから発せられたブルーライトは、アンチブルーライト素子を介して吸収され、ブルーライトを遮断する目的を達成し、さらに、アンチブルーライト素子が表示スクリーンに貼り付けられている場合、その厚さが軽くて薄いため、ディスプレイ装置の光透過率に影響を与えず、表示スクリーンの表示画面が暗すぎて使用者がよく見えない場合がない。【選択図】図４
0003234382.tif 000002
【実用新案登録請求の範囲】
【請求項１】
ブルーライト遮断機能を有するスクリーン保護シートであって、
対向する第１の面と第２の面が含まれ、内部に複数のアンチブルーライト微粒子が均一に分布しており、フィルム状の構造であり、厚さが１０μｍから５０μｍであるアンチブルーライト素子を含み、
前記アンチブルーライト素子の周縁に沿って設置された耐震部、をさらに含むブルーライト遮断機能を有するスクリーン保護シート。
【請求項２】
前記アンチブルーライト微粒子は、アゾパーマネントイエロー有機染料又は三酸化クロム（Ｃｒ２Ｏ３）のいずれかから選ばれるものであり、前記アンチブルーライト微粒子を精密塗布方法によって前記アンチブルーライト素子内に均一に分布させる請求項１に記載のブルーライト遮断機能を有するスクリーン保護シート。
【請求項３】
前記アンチブルーライト素子の内部に光学接着剤（Ｏｐｔｉｃａｌｌｙ  Ｃｌｅａｒ  Ａｄｈｅｓｉｖｅ、ＯＣＡ）がさらに含まれており、前記光学接着剤を精密塗布方法によって前記アンチブルーライト素子内に均一に分布させる請求項１に記載のブルーライト遮断機能を有するスクリーン保護シート。
【請求項４】
前記アンチブルーライト素子の前記第１の面に設置されている偏光素子をさらに有し、
前記偏光素子は、ＰＥＴフィルム、ＰＣフィルム、ＵＶ硬化フィルムのいずれかから選ばれるものである請求項１に記載のブルーライト遮断機能を有するスクリーン保護シート。
【請求項５】
対向する第３の面と第４の面とを有し、前記第３の面が前記アンチブルーライト素子の前記第２の面と連結しているキャリアと、
前記キャリアの第４の面に設置されており、精密塗布方法によって均一に設置されている接着剤層と、
をさらに含む請求項４に記載のブルーライト遮断機能を有するスクリーン保護シート。
【考案の詳細な説明】
【技術分野】
【０００１】
本考案は、ディスプレイ装置のスクリーン保護シートに関し、特に、アンチブルーライトスクリーン保護シートに関する。
【背景技術】
【０００２】
携帯電話、コンピュータ、テレビなどの電子製品の急速な発展に伴い、人々の生活環境の中でブルーライトにさらされる可能性も比較的に高くなっている。ブルーライトとは、スペクトルの波長範囲が４００から５００ナノメートルの可視光であり、その波長が比較的短くてエネルギーが高いため、人間の目にブルーライトを長時間照射すると、網膜の損傷、目の疲労、視力の低下、睡眠障害などの病気を招きやすい。
【０００３】
ディスプレイ装置が発する眩しい光による人の目へのダメージを低減するために、ディスプレイ装置はまた、保護スクリーンが外側に取り付けられており、ディスプレイ装置から発せられた可視光（ブルーライトなど）をフィルタリングするために使用される。しかし、市販の保護スクリーンの厚さは、厚すぎたり、色があったりして、ディスプレイ装置の光透過率に影響を与え、そのため、スクリーンの表示画面が暗く見えたり色が歪んだりして、表示画面の内容がはっきりと見えず、使用者はスクリーンにもっと近づけなければよく見えず、間接的に使用者の目の圧力を増加させる。
【考案の概要】
【考案が解決しようとする課題】
【０００４】
これにより、どのように、アンチブルーライト機能を併せ持ち、かつ、薄型軽量でありながら、スクリーンの色の鮮やかさを維持できる、使用者の目の傷害を低減するためのブルーライト遮断機能を有するスクリーンを提供するかは、業界において緊急の問題である。
【課題を解決するための手段】
【０００５】
そこで、本考案の目的は、アンチブルーライト機能を併せ持ち、かつ、薄型軽量でありながら、スクリーンの色の鮮やかさを維持した、ブルーライト遮断機能を有するスクリーンを提供することにある。
【０００６】
そこで、本考案は、対向する第１の面及び第２の面が含まれ、内部にアンチブルーライト微粒子が均一に分布しており、フィルム状の構造であり、厚さが１０μｍから５０μｍであるアンチブルーライト素子を含む、ブルーライト遮断機能を有するスクリーン保護シートを提供する。
【０００７】
上記のブルーライト遮断機能を有するスクリーン保護シートにおいて、アンチブルーライト微粒子は、アゾパーマネントイエロー有機染料又は三酸化クロム（Ｃｒ２Ｏ３）のいずれかから選ばれるものであり、アンチブルーライト微粒子を精密塗布方法によってアンチブルーライト素子内に均一に分布させる。
【０００８】
上記のブルーライト遮断機能を有するスクリーン保護シートにおいて、アンチブルーライト素子の内部に光学接着剤（Ｏｐｔｉｃａｌｌｙ  Ｃｌｅａｒ  Ａｄｈｅｓｉｖｅ、ＯＣＡ）がさらに含まれており、光学接着剤を精密塗布方法によってアンチブルーライト素子内に均一に分布させる。
【０００９】
上記のブルーライト遮断機能を有するスクリーン保護シートにおいて、アンチブルーライト素子の第１の面に設置されている偏光素子をさらに有する。
【００１０】
上記のブルーライト遮断機能を有するスクリーン保護シートにおいて、偏光素子は、ＰＥＴフィルム、ＰＣフィルム、ＵＶ硬化フィルムのいずれかから選ばれるものである。
【００１１】
上記のブルーライト遮断機能を有するスクリーン保護シートにおいて、対向する第３の面と第４の面とを有し、当該第３の面がアンチブルーライト素子の第２の面と連結しているキャリア、さらに含む。
【００１２】
上記のブルーライト遮断機能を有するスクリーン保護シートにおいて、キャリアの第４の面に設置されており、精密塗布方法によって均一に設置されている接着剤層をさらに含む。
【００１３】
上記のブルーライト遮断機能を有するスクリーン保護シートにおいて、アンチブルーライト素子の周縁に沿って設置された耐震部、をさらに含む。
【００１４】
ブルーライト遮断機能を有するスクリーンであって、表示スクリーンと、上記のブルーライト遮断機能を有するスクリーン保護シートとを含み、ブルーライト遮断機能を有するスクリーン保護シートの接着剤層は、精密塗布方法によって表示スクリーンに結合されている。
【００１５】
上記のブルーライトを遮断する機能を有するスクリーンにおいて、表示スクリーンは、ＬＣＤディスプレイ装置、ＣＲＴディスプレイ装置、プラズマディスプレイ装置、ＬＥＤスクリーン装置、ＯＬＥＤ装置、携帯電話、タブレット、ノートパソコン、卓上型パソコンのいずれかの表示スクリーンである。
【００１６】
本考案に係るブルーライト遮断機能を有するスクリーンは、表示スクリーンにアンチブルーライト素子及び偏光素子が設置されているため、表示スクリーンから発せられたブルーライトは、アンチブルーライト素子を介して吸収され、ブルーライトをフィルタリングする目的を達成し、また、外部環境から表示スクリーンを透過して使用者の目に反射するブルーライトの経路を偏光素子によって変更することで、人々が長時間光にさらされており、使用者の目に損傷を与えることを解決する。さらに、アンチブルーライト素子及び偏光素子が表示スクリーンに貼り付けられている場合、その厚さが軽くて薄いため、ディスプレイ装置の光透過率に影響を与えず、表示スクリーンの表示画面が暗すぎて使用者がよく見えない場合がない。
【図面の簡単な説明】
【００１７】
【図１】図１は、本考案に係るブルーライト遮断機能を有するスクリーン保護シートのアンチブルーライト素子を示す断面図である。
【図２】図２は、本考案に係るブルーライト遮断機能を有するスクリーン保護シートを示す断面図である。
【図３】図３は、本考案に係るブルーライト遮断機能を有するスクリーンの素子の一部を示す概略図である。
【図４】図４は、本考案に係るブルーライト遮断機能を有するスクリーン保護シートの素子を示す分解図である。
【考案を実施するための形態】
【００１８】
以下、図面を参照して、本考案の利点、特徴、及び実施形態を詳細に説明する。
【００１９】
まず、図１、図２、及び図４を同時に参照されたい。本考案に係るブルーライト遮断機能を有するスクリーン保護シート２は、アンチブルーライト素子２０を備えており、当該アンチブルーライト素子２０は、フィルム状の構造であり、対向する第１の面Ａ及び第２の面Ｂが含まれ、内部に複数のアンチブルーライト微粒子２０１及び光学接着剤２０３（Ｏｐｔｉｃａｌｌｙ  Ｃｌｅａｒ  Ａｄｈｅｓｉｖｅ、ＯＣＡ）が均一に分布しており、これらのアンチブルーライト微粒子２０１及び光学接着剤２０３を精密塗布方法によってアンチブルーライト素子２０内に均一に分布させる。アンチブルーライト微粒子２０１の製造材料は、アゾパーマネントイエロー有機染料又は三酸化クロム（Ｃｒ２Ｏ３）のいずれかから選ばれるものであり、アンチブルーライト素子２０の厚さは１０μｍから５０μｍ、好ましくは３０μｍである。
【００２０】
なお、本実施形態では、当該アンチブルーライト微粒子２０１及び光学接着剤２０３を、精密塗布方法によってアンチブルーライト素子２０上に形成することが好ましく、これは、フィルム状構造の軟質材料特性に適合し、精密塗布方法により、フィルム状構造をより完璧な成形効果を現すことができ、また、真空コーディング法では、空洞を必要とするため、適用面積の小さいフィルム（即ち、本考案のアンチブルーライト素子２０）は、連続して生産することはできず、一方で、精密塗布方法では、フィルムのロール全体（即ち、本考案のアンチブルーライト素子２０）をカットするだけで生産できる。
【００２１】
一方、本考案に係るブルーライト遮断機能を有するスクリーン保護シート２は、偏光素子３０と、キャリア４０と、接着剤層５０とをさらに有し、当該偏光素子３０は、当該アンチブルーライト素子２０の当該第１の面Ａに設置され、当該キャリア４０は、対向する第３の面Ｃ及び第４の面Ｄを有し、当該キャリア４０の当該第３の面Ｃは当該アンチブルーライト素子２０の当該第２の面Ｂと連結しており、当該接着剤層５０は、当該キャリア４０の当該第４の面Ｄに設置され、精密塗布方法によって均一に設置され、当該偏光素子３０は、ＰＥＴフィルム、ＰＣフィルム、ＵＶ硬化フィルムのいずれかから選ばれるものであり、当該キャリア４０は、ＰＥＴフィルム及びＰＣフィルムのいずれかから選ばれるものであり、当該接着剤層５０は、シリカゲルであり、また、ＰＣフィルムは比較的厚く、本考案に係るブルーライト遮断機能を有するスクリーン保護シート２の光透過率に影響を与えるため、ＰＥＴフィルムを使用することは好ましい。
【００２２】
図４に示すように、本考案に係るブルーライト遮断機能を有するスクリーン１は、主に、表示スクリーン１０と、上記のブルーライト遮断機能を有するスクリーン保護シート２と、を有し、当該ブルーライト遮断機能を有するスクリーン保護シート２の接着剤層５０は、精密塗布方法によって当該表示スクリーン１０に結合されている。なお、表示スクリーン１０は、ＬＣＤディスプレイ装置、ＣＲＴディスプレイ装置、プラズマディスプレイ装置、ＬＥＤスクリーン装置、ＯＬＥＤ装置、携帯電話、タブレット、ノートパソコン、卓上型パソコンのいずれかの表示スクリーンであり、ここでは上記の列挙に限定されない。
【００２３】
図３を参照すると、ブルーライト遮断機能を有するスクリーン保護シート２は、さらに耐震部６０を備えており、好ましくは、耐震部６０は、強化ガラス、プラスチック、シリカゲル、ガラス繊維であり、アンチブルーライト素子２０の周縁に沿って設置され、本考案に係るブルーライト遮断機能を有するスクリーン保護シート２の全体に沿って設置されてもよく、本考案の設計により、表示スクリーン１０の角部が破損する確率を低減することができ、従来の表示スクリーン１０の四隅が直角に設計されていたため、衝撃を受けた後に破損しやすく、面取り６０１により、衝撃に対してある程度の緩衝作用があり、破損に強く、また、直角部の厚みが大きく、使用者が不用意に触れた時に手を刺して傷をつけることがあることを解決することができる。
【００２４】
以下、本考案の具体的な実施形態について説明する。
【００２５】
＜実施形態１＞
図４を参照すると、本考案は主に、表示スクリーン１０から発せられたブルーライトをアンチブルーライト素子２０で吸収することにより、ブルーライト遮断の保護目的を達成するものである。そして、アンチブルーライト素子２０の構造にＵＶ硬化フィルムを付加し、ＵＶ硬化フィルムの役割は、入射する光を散乱させ、外光を反射させることで、偏光作用を形成することである。これにより、ディスプレイ装置１０１の動作時に表示スクリーン１０から発せられたブルーライトが表示画面を曇らせて見えることを低減することができるだけでなく、外部環境から表示スクリーン１０を透過して使用者の目に反射するブルーライトの経路を変更することも可能であり、これにより、人々は長い間、光の過度の反射の圧力にさらされており、網膜の損傷、目の疲労、視力の低下、睡眠障害などの病気があることを解消することができる。
【００２６】
＜実施形態２＞
引き続き図４を参照すると、本考案は主に、表示スクリーン１０から発せられたブルーライトをアンチブルーライト素子２０で吸収してブルーライト遮断の保護目的を達成するものであり、アンチブルーライト素子２０の構造にＰＥＴフィルムやＰＣフィルムを設置することにより、ディスプレイ装置１０１の動作時に表示スクリーン１０から発せられたブルーライトは表示画面を明るくする。 また、本考案の偏光素子３０は、強化ガラス、ガラス繊維、ガラス、プラスチックなどの材質の薄膜であってもよいが、上記の列挙に限定されない。
【００２７】
上記は本考案の好ましい実施例にすぎず、本考案の技術的範囲を限定するものではない。また、以上の記述は、その技術分野を熟知している専門家にとっては明らかかつ実施可能であるべきであり、そのため、本考案の開示の精神から逸脱することなく完了したその他の等価な変更又は修飾は、すべて実用新案登録出願の範囲に含まれるべきである。
【符号の説明】
【００２８】
１  ブルーライト遮断機能を有するスクリーン
２  ブルーライト遮断機能を有するスクリーン保護シート
１０  表示スクリーン
２０  アンチブルーライト素子
３０  偏光素子
４０  キャリア
５０  接着剤層
６０  耐震部
１０１  ディスプレイ装置
２０１  アンチブルーライト微粒子
２０３  光学接着剤
６０１  面取り
Ａ  第１の面
Ｂ  第２の面
Ｃ  第３の面
Ｄ  第４の面
【図１】
0003234382.tif 000003
【図２】
0003234382.tif 000004
【図３】
0003234382.tif 000005
【図４】
0003234382.tif 000006